(57)【要約】【課題】  簡易な構成で、不良視界時における懸垂幕装置の視認性を向上させることを可能とする。【解決手段】  細長枠状をなす懸垂支持枠体１に上下動可能に配置された表示幕３を光透過性のシート状部材から形成するとともに、その表示幕３を懸垂支持枠体１の内部側から照らす内照手段７を設けたことによって、前記表示幕３における良好な視認性を得るように構成し、当該表示幕３に描かれた文字・図形等が夜間や雨天等の不良視界時においても良好な視認性を発揮可能としたもの。【選択図】        図１
0003115418.tif 000002
【実用新案登録請求の範囲】
【請求項１】
可撓性のシート状部材からなる表示幕が懸垂支持枠体に上下動可能に装着された懸垂幕装置において、
前記表示幕が、光透過性を有する部材から形成されているとともに、
前記懸垂支持枠体の内部に、前記表示幕を内部側から照らす内照手段が設けられていることを特徴とする懸垂幕装置。
【請求項２】
前記懸垂支持枠体に、幕支持部材が上下動可能に配置されているとともに、
その幕支持部材に、前記表示幕が吊り下げられるようにして取り付けられ、かつ
前記幕支持部材には、適宜の巻取り器により巻き上げられまたは開放される巻上ワイヤが接続されていることを特徴とする請求項１記載の懸垂幕装置。
【考案の詳細な説明】
【技術分野】
【０００１】
本考案は、上下動可能な表示幕を備えた懸垂幕装置に関する。
【背景技術】
【０００２】
一般に広告・看板等の分野において、文字や図形などが描かれたシート状の表示幕を上下動可能に備えた懸垂幕装置が広く採用されている。その懸垂幕装置においては、懸垂支持枠体に表示幕が上下動可能に取り付けられていて、その表示幕の上端縁から延出している巻上ワイヤを、適宜の巻取り器により巻き上げまたは開放することによって、前記表示幕が上下動される構成になされている。そして、表示幕を降ろした状態にして取り外し、別個の新たな表示幕を取り付けるようにすれば、表示幕の交換を容易に行うことができるため広告コストを低廉に抑えることができるという利点がある。
【０００３】
ところが、上述したように通常の懸垂幕装置では、表示幕の交換性に優れてはいるものの、夜間や雨天等の不良視界時における表字幕の視認性が良好でなく、表示性において充分な看板機能が得られない場合もある。
【考案の開示】
【考案が解決しようとする課題】
【０００４】
そこで本考案は、簡易な構成で、不良視界時における視認性に優れた懸垂幕装置を提供することを目的とする。
【課題を解決するための手段】
【０００５】
上記目的を達成するため、本考案にかかる懸垂幕装置では、可撓性のシート状部材からなる表示幕が懸垂支持枠体に上下動可能に装着された懸垂幕装置において、前記表示幕が、光透過性を有する部材から形成されているとともに、前記懸垂支持枠体の内部に前記表示幕を内部側から照らす内照手段が設けられている。
【０００６】
このような構成を有する本考案にかかる懸垂幕装置によれば、光透過性部材からなる表示幕が、内照手段により内部側から照らされるため、表示幕に描かれた文字・図形等が夜間や雨天等の不良視界時においても良好な視認性を発揮することとなる。
【考案の効果】
【０００７】
以上のように本考案にかかる懸垂幕装置は、光透過性部材からなる表示幕を内照手段により内部側から照らすことによって不良視界時においても表示幕の良好な視認性が得られるように構成したものであるから、極めて優れた看板機能を低コストで発揮させることができ、懸垂幕装置の信頼性を向上させることができる。
【考案を実施するための最良の形態】
【０００８】
以下、本考案の実施の形態を図面に基づいて説明する。
図１ないし図４に示されている本考案の一実施形態にかかる懸垂幕装置は、まず図１および図２に示されているような縦長状の懸垂支持枠体１を有している。この懸垂支持枠体１は、アングル材等からなる梁状部材を適宜の骨組み状に組み立てたものであって、略鉛直方向に沿って縦長状に延在する一対の縦枠材１ａと、それらの縦枠材１ａの上端部および下端部をそれぞれ略水平方向に掛け渡すようにして取り付けられた一対の横枠材１ｂ，１ｃとを有しており、それらの各縦枠材１ａおよび横枠材１ｂから取付け壁面２に向かって突出する複数の脚板ピース１ｄが、図示を省略したアンカーボルトなどの固定手段により前記取付け壁面２に対して不動状態に固定されるようになっている。
【０００９】
このような懸垂支持枠体１の正面側（図１参照）には、略鉛直方向に細長状に延在する縦長矩形状の開口部が形成されており、その正面開口部のほぼ全面を埋めるようにして縦長シート状部材からなる表示幕３が配置されている。この表示幕３は、半透明の光透過性を有する可撓性部材から形成されており、その表示幕３の外表面には所望の広告文字（例えば「内照式懸垂機」）や図形等が描かれている。
【００１０】
この表示幕３の上端縁部は、上述した懸垂支持枠体１の内部に略水平に掛け渡すように配置された幕支持上棒１ｅから吊り下げられるように取り付けられている。また、この表示幕３の両側縁部には、複数のカラビナリング３ａが適宜のピッチ間隔で設けられており、それらの各カラビナリング３ａ内に、前記懸垂支持枠体１の縦枠材１ａ内に沿って配置された幕張ワイヤ４が略鉛直方向に挿通されていることによって、前記表示幕３の全体が上下動可能に支持されている。
【００１１】
さらに、上述した幕支持上棒１ｅの長手方向両端部に設けられた各カラビナリング１ｅ１に対しても前記幕張ワイヤ４がそれぞれ挿通されており、これによって幕支持棒１ｅが幕張ワイヤ４に対して上下動可能となるように保持されている。そして、この幕支持上棒１ｅに対して、前記表示幕３の上端縁部がクレモナロープ３ｂにより締結されていることによって、当該表示幕３が前記幕支持上棒１ｅから垂れ下がるようにして保持される構成になされている。また、前記表示幕３の下端縁部の近傍下方側にも、幕支持下棒１ｆが上下動可能に配置されており、この表示幕３の下端縁部に沿って略水平に延在する幕支持下棒１ｆに対して前記表示幕３の下端縁部がクレモナロープ３ｃにより締結されている。
【００１２】
さらにまた、上述した幕支持上棒１ｅの長手方向（軸方向）略中央部分には、固定リング１ｇを介して巻上ワイヤ５が接続されている。この巻上ワイヤ５は、前記懸垂支持枠体１の横枠材１ｂに取り付けられた滑車５ａを介して一旦略水平方向に屈曲するように所定量だけ延びた後、前記懸垂支持枠体１の縦枠材１ａに取り付けられた滑車５ｂを通して下方側に向かって屈曲している。さらにその巻上ワイヤ５は、前記懸垂支持枠体１の縦枠材１ａの外側面に突設された複数のアイボルト５ｃを挿通するようにして前記懸垂支持枠体１の下端部まで延在しており、その懸垂支持枠体１の下端部よりやや下方に配置された巻取り器としてのウインチ６に巻き取られるように連結されている。
【００１３】
上述した巻取り器としてのウインチ６は、手動式または電動式のいずれのものも採用することができるが、当該ウインチ６によって前記巻上ワイヤ５を巻き上げまたは開放することによって、前述した表示幕３の上端縁部が任意に上下動される構成になされている。そして、一旦巻き上げたウインチ６を開放することによって幕支持上棒１ｅとともに表示幕３を降ろした状態としておけば、その幕支持上棒１ｅに対して新たな表示幕３を容易に取り付けて交換することが可能となる。
【００１４】
一方、上述した懸垂支持枠体１の内部には、前記表示幕３を内部側（裏面側）から照らすための内照装置７が設けられている。この内照装置７は、特に図３および図４に示されているように、上述した懸垂支持枠体１よりも一回り小さく形成された照明支持枠体７ａを備えているとともに、その照明支持枠体７ａの縦枠どうしを略水平に掛け渡すようにして多数の蛍光灯７ｂが配置されている。
【００１５】
それらの各蛍光灯７ｂは、上下方向に適宜の間隔を介して横格子状をなすように配置されており、図示を省略した電源制御スイッチ機構により全体または一部が適宜のタイミングで点灯されまたは消灯されるように構成されている。そして、当該各蛍光灯７ｂの点灯が行われたときには、前記表示幕３が内部側（裏面側）から照らされることにより当該表示幕３に描かれた文字・図形等が明瞭に表示されるようになっている。
【００１６】
このような構成を有する本実施形態にかかる懸垂幕装置において、夜間や雨天等のような不良視界時に表示幕３の視認性が低下したときに、内照装置７の蛍光灯７ｂを点灯して光透過性部材からなる表示幕３を内部側から照らすこととすれば、その表示幕３に記載された文字・図形等が外部側から良好に視認される。
【００１７】
以上、本考案者によってなされた考案を実施形態に基づいて具体的に説明したが、本考案は上記実施形態に限定されるものではなく、その要旨を逸脱しない範囲で種々変形可能であるというのは言うまでもない。
【産業上の利用可能性】
【００１８】
本考案は、表示幕を上下動可能に備えた懸垂幕装置に対して広く採用することが可能である。
【図面の簡単な説明】
【００１９】
【図１】本考案の一実施形態における懸垂幕装置を表した正面説明図である。
【図２】図１に表された懸垂幕装置の側面説明図である。
【図３】内照装置を表した正面説明図である。
【図４】図３に表した内照装置を表した側面説明図である。
【符号の説明】
【００２０】
１  懸垂支持枠体
１ａ  縦枠材
１ｂ，１ｃ  横枠材
１ｄ  脚板ピース
１ｅ  幕支持上棒
１ｅ１  カラビナリング
１ｆ  幕支持下棒
１ｇ  固定リング
２  取付け壁面
３  表示幕
３ａ  カラビナリング
３ｂ  クレモナロープ
３ｃ  クレモナロープ
４  幕張ワイヤ
５  巻上ワイヤ
５ａ，５ｂ  滑車
５ｃ  アイボルト
６  ウインチ（巻取り器）
７  内照装置
７ａ  照明支持枠体
７ｂ  蛍光灯
【図１】
0003115418.tif 000003
【図２】
0003115418.tif 000004
【図３】
0003115418.tif 000005
【図４】
0003115418.tif 000006